(57)【要約】【課題】海図画像の操作と手書き情報の入力とで簡便に切り替え、入力された手書き情報を確実に海図情報に紐づけて管理し、共有化する海図表示装置を提供する。【解決手段】海図情報を提供する海図表示システム１は、現在地情報や地形情報を記憶する情報管理装置２と、現在地情報や地形情報から海図を表示する表示装置３とを備えている。表示装置３は、所定の海図を表示して移動操作があった場合に移動後の海図を表示する海図表示機能３１、海図の表示範囲を拡大または縮小する拡大縮小機能３２、海図の操作と手書き情報の入力とを切り替える切り替え手段３９を表示するツール表示機能３３、指または棒状部材の接触、摺動により手書き情報を作成する手書き作成機能３４、作成された手書き情報を表示する手書き表示機能３５を備えている。【選択図】図１
2018072740.tif 000002
【特許請求の範囲】
【請求項１】
海図を表示する表示画面を備え、船舶位置情報に基づいて前記海図の上に船舶の位置を表示可能な海図表示装置であって、
前記表示画面の上に接触物を接触させて所定の操作を行うことにより、前記海図の上に追加情報を作成して記憶させる追加情報作成機能を備え、
前記追加情報は、前記海図の上に作成された位置の緯度及び経度に紐付いて記憶され、管理装置との間で送受信されて共有可能である、
ことを特徴とする海図表示装置。
【請求項２】
所定位置の海図情報及び陸上地形情報を取得し、前記所定位置から所定の表示範囲の前記海図を前記表示画面に表示する初期表示機能と、
前記表示画面の上に前記接触物を接触させて摺動させることにより、前記海図の表示位置を、前記接触物を摺動させた方向へ移動して前記表示画面に表示する移動表示機能と、
前記表示画面の上に２つの接触物を接触させ、２つの前記接触物を前記表示画面の上で互いに近付ける方向に摺動させると、前記表示範囲を拡大して表示し、２つの前記接触物を前記表示画面の上で互いに遠ざける方向に摺動させると、前記表示範囲を縮小して表示する拡大縮小機能と、
前記海図とともに記憶された前記追加情報を表示する追加情報表示機能と、を備え、
前記初期表示機能、前記移動表示機能、前記拡大縮小機能、及び前記追加情報表示機能と、前記追加情報作成機能と、の間で切り替え可能な切り替え手段が前記表示画面に表示されている、
ことを特徴とする請求項１に記載の海図表示装置。
【請求項３】
前記接触物は、操作者の指または棒状部材であり、
前記所定の操作は、前記表示画面の上に前記指または前記棒状部材を接触させて摺動させる摺動操作であり、
前記追加情報は、前記摺動操作による前記表示画面との摺動箇所を着色することにより生じる手書き情報である、
ことを特徴とする請求項１または２のいずれか１項に記載の海図表示装置。
【請求項４】
前記追加情報は、前記表示画面に表示されるときの色、太さ、または透過率を設定可能である、
ことを特徴とする請求項３に記載の海図表示装置。
【請求項５】
前記接触物は、操作者の指または棒状部材であり、
前記所定の操作は、前記表示画面に表示される文字入力画面を押下して入力する文字入力操作であり、
前記追加情報は、前記文字入力操作による文字列である、
ことを特徴とする請求項１または２のいずれか１項に記載の海図表示装置。
【請求項６】
前記追加情報は、前記海図の上で作成された航路情報である、
ことを特徴とする請求項１または２のいずれか１項に記載の海図表示装置。
【請求項７】
前記表示画面は、前記操作者が操作している位置に応じて表示方向を変更可能である、
ことを特徴とする請求項１ないし６のいずれか１項に記載の海図表示装置。
【請求項８】
前記追加情報表示機能は、
前記移動表示機能により前記表示位置が移動されたとき、前記追加情報を移動して表示し、
前記拡大縮小機能により前記表示範囲が拡大または縮小されたとき、前記追加情報を拡大または縮小して表示する、
ことを特徴とする請求項２ないし７のいずれか１項に記載の海図表示装置。
【請求項９】
請求項１ないし８のいずれか１項に記載の海図表示装置と、
前記海図表示装置と通信可能であり、前記海図情報及び前記陸上地形情報を記憶して前記海図表示装置へ送信する管理装置と、を備えた海図表示システムであって、
前記海図表示装置は、前記追加情報を前記管理装置との間で送受信可能であり、
前記管理装置は、送信された前記追加情報を記憶する、
ことを特徴とする海図表示システム。
【請求項１０】
前記管理装置は、送信された前記追加情報を時系列に紐付くデータベースに記憶する、
ことを特徴とする請求項９に記載の海図表示システム。
【請求項１１】
前記管理装置を複数備え、複数の前記管理装置は互いに通信可能であり、
前記追加情報は、複数の前記管理装置の間で共有化されている、
ことを特徴とする請求項９または１０のいずれか１項に記載の海図表示システム。
【発明の詳細な説明】
【技術分野】
【０００１】
本発明は、海図情報及び陸上地形情報を取得して海図を表示する海図表示装置及び海図表示システムに関する。
【背景技術】
【０００２】
近年、地形情報を取得して地図を表示する地図表示装置は、船舶の航海時に使用される海図や、そのときに航海を行っている船舶の位置や進行方向等を表示する海図表示装置に限らず、自動車に搭載されて目的地への道案内を行うナビゲーションシステムにおいても広く利用されている。また、携帯電話やスマートフォン、パーソナルコンピュータにおいても、同様の機能を備えたものが広く利用されている。
【０００３】
従来の紙に印刷された地図では、例えば目的地を示す目印等をペン等で書き込むことが可能であるが、そのような書き込みが多くなると、地図が読みにくくなる場合がある。また、例えば海図では、同様の理由により、通常、海図に直接ペン等で書き込みを行わないようにしている。しかしながら、地図に書き込みができないと、地図と各種情報を記載したメモのようなものと両方参照する必要があり、煩わしいものである。
【０００４】
そのため、上記のような地図表示装置では、例えばタッチパネルを備えた装置において、タッチパネルから手書き情報を入力することが可能な地図画像表示システムが知られている（例えば、特許文献１及び２参照。）。この地図画像表示システムでは、必要に応じて表示範囲の拡大や縮小を行うことが可能であり、また、タッチパネルから手書き情報を入力することが可能になっている。さらに、その入力された手書き情報は、地図の表示範囲の拡大や縮小に応じて大きさも変更可能になっている。
【先行技術文献】
【特許文献】
【０００５】
【特許文献１】特開２０１４−０２９２９８号公報
【特許文献２】特開２０１６−０７５９３０号公報
【発明の概要】
【発明が解決しようとする課題】
【０００６】
ところで、このような地図画像表示システムは、地図画像を操作する場合と、手書き情報を入力する場合とで切り替える必要があり、特に大人数で同時に地図情報を見るような場合、簡便に切り替えることが可能な手段が望ましい。また、このような手書き情報は、地図情報に表示されている建物等に紐づいていると、そのような建物等がなくなった場合にどのように管理すべきかが問題であり、例えば、大規模な災害があった場合に手書き情報が表示されなくなる、海図の場合には、地図に紐づける情報がない、という問題があった。さらに、このような手書き情報を共有化して他の端末等でも参照できることが望まれていた。
【０００７】
そこで本発明は、海図画像を操作する場合と、手書き情報のような追加情報を入力する場合とで簡便に切り替えることが可能であり、入力された追加情報を確実に海図情報に紐づけて管理することが可能であり、追加情報が共有化されて他の端末等でも参照可能な海図表示装置及び海図表示システムを提供することを目的とする。
【課題を解決するための手段】
【０００８】
上記課題を解決するために、請求項１に記載の発明は、海図を表示する表示画面を備え、船舶位置情報に基づいて前記海図の上に船舶の位置を表示可能な海図表示装置であって、前記表示画面の上に接触物を接触させて所定の操作を行うことにより、前記海図の上に追加情報を作成して記憶させる追加情報作成機能を備え、前記追加情報は、前記海図の上に作成された位置の緯度及び経度に紐付いて記憶され、管理装置との間で送受信されて共有可能である、ことを特徴とする。
【０００９】
この発明によれば、表示画面の上に接触物を接触させて所定の操作を行うと、追加情報作成機能により海図の上に追加情報が作成される。この追加情報は、海図の上に作成された位置の緯度及び経度に紐付いて記憶される。また、管理装置との間で送受信されて共有可能である。
【００１０】
請求項２に記載の発明は、請求項１に記載の海図表示装置において、所定位置の海図情報及び陸上地形情報を取得し、前記所定位置から所定の表示範囲の前記海図を前記表示画面に表示する初期表示機能と、前記表示画面の上に前記接触物を接触させて摺動させることにより、前記海図の表示位置を、前記接触物を摺動させた方向へ移動して前記表示画面に表示する移動表示機能と、前記表示画面の上に２つの接触物を接触させ、２つの前記接触物を前記表示画面の上で互いに近付ける方向に摺動させると、前記表示範囲を拡大して表示し、２つの前記接触物を前記表示画面の上で互いに遠ざける方向に摺動させると、前記表示範囲を縮小して表示する拡大縮小機能と、前記海図とともに記憶された前記追加情報を表示する追加情報表示機能と、を備え、前記初期表示機能、前記移動表示機能、前記拡大縮小機能、及び前記追加情報表示機能と、前記追加情報作成機能と、の間で切り替え可能な切り替え手段が前記表示画面に表示されている、ことを特徴とする。
【００１１】
請求項３に記載の発明は、請求項１または２のいずれか１項に記載の海図表示装置において、前記接触物は、操作者の指または棒状部材であり、前記所定の操作は、前記表示画面の上に前記指または前記棒状部材を接触させて摺動させる摺動操作であり、前記追加情報は、前記摺動操作による前記表示画面との摺動箇所を着色することにより生じる手書き情報である、ことを特徴とする。
【００１２】
請求項４に記載の発明は、請求項３に記載の海図表示装置において、前記追加情報は、前記表示画面に表示されるときの色、太さ、または透過率を設定可能である、ことを特徴とする。
【００１３】
請求項５に記載の発明は、請求項１または２のいずれか１項に記載の海図表示装置において、前記接触物は、操作者の指または棒状部材であり、前記所定の操作は、前記表示画面に表示される文字入力画面を押下して入力する文字入力操作であり、前記追加情報は、前記文字入力操作による文字列である、ことを特徴とする。
【００１４】
請求項６に記載の発明は、請求項１または２のいずれか１項に記載の海図表示装置において、前記追加情報は、前記海図の上で作成された航路情報である、ことを特徴とする。
【００１５】
請求項７に記載の発明は、請求項１ないし６のいずれか１項に記載の海図表示装置において、前記表示画面は、前記操作者が操作している位置に応じて表示方向を変更可能である、ことを特徴とする。
【００１６】
請求項８に記載の発明は、請求項２ないし７のいずれか１項に記載の海図表示装置において、前記追加情報表示機能は、前記移動表示機能により前記表示位置が移動されたとき、前記追加情報を移動して表示し、前記拡大縮小機能により前記表示範囲が拡大または縮小されたとき、前記追加情報を拡大または縮小して表示する、ことを特徴とする。
【００１７】
請求項９に記載の発明は、請求項１ないし８のいずれか１項に記載の海図表示装置と、前記海図表示装置と通信可能であり、前記海図情報及び前記陸上地形情報を記憶して前記海図表示装置へ送信する管理装置と、を備えた海図表示システムであって、前記海図表示装置は、前記追加情報を前記管理装置との間で送受信可能であり、前記管理装置は、送信された前記追加情報を記憶する、ことを特徴とする海図表示システムである。
【００１８】
請求項１０に記載の発明は、請求項９に記載の海図表示システムにおいて、前記管理装置は、送信された前記追加情報を時系列に紐付くデータベースに記憶する、ことを特徴とする。
【００１９】
請求項１１に記載の発明は、請求項９または１０のいずれか１項に記載の海図表示システムにおいて、前記管理装置を複数備え、複数の前記管理装置は互いに通信可能であり、前記追加情報は、複数の前記管理装置の間で共有化されている、ことを特徴とする。
【発明の効果】
【００２０】
請求項１に記載の発明によれば、表示画面の上に接触物を接触させて所定の操作を行うと、追加情報作成機能により海図の上に追加情報が作成され、追加情報は海図の上に作成された位置の緯度及び経度に紐付いて記憶されているので、入力された手書き情報等の追加情報を確実に海図情報に紐づけて管理することが可能になる。さらに、追加情報は管理装置との間で送受信されて共有可能であるため、他の端末等から参照することが可能になる。
【００２１】
請求項２に記載の発明によれば、海図及び追加情報を表示する初期表示機能、移動表示機能、拡大縮小機能、及び追加情報表示機能と、追加情報を作成する追加情報作成機能との間で切り替え可能な切り替え手段を備えているので、海図画像を操作する場合と、手書き情報を入力する場合とを簡便に切り替えることが可能になる。
【００２２】
請求項３に記載の発明によれば、追加情報は、表示画面の上に指または棒状部材を接触させて摺動させる摺動操作により、表示画面との摺動箇所を着色することで生じる文字または図形であるので、手書きにて作成した文字または図形を追加情報として海図に表示させることができる。
【００２３】
請求項４に記載の発明によれば、追加情報は、表示画面に表示されるときの色、太さ、または透過率を設定可能であるため、追加情報により海図が見えなくなることを防止できる。
【００２４】
請求項５に記載の発明によれば、追加情報は、表示画面に表示される文字入力画面を押下して入力する文字入力操作による文字列であるので、海図上にメモ等を残しておきたい場合に、このような情報を海図に表示させることができる。
【００２５】
請求項６に記載の発明によれば、追加情報は、海図の上で作成された航路情報であるため、海図上で作成した航路情報を共有化することが可能になる。
【００２６】
請求項７に記載の発明によれば、表示画面は、操作者が操作している位置に応じて表示方向を変更可能であるため、海図を見やすく表示することが可能になる。
【００２７】
請求項８に記載の発明によれば、追加情報表示機能は、移動表示機能により表示位置が移動されたときに追加情報を移動して表示し、拡大縮小機能により表示範囲が拡大または縮小されたときに追加情報を拡大または縮小して表示するので、追加情報を海図上に確実に残しておくことが可能であり、適切に表示させることが可能になる。
【００２８】
請求項９に記載の発明によれば、請求項１ないし８のいずれか１項に記載の海図表示装置に地形情報を送信する管理装置が、海図表示装置から送信された追加情報を記憶するので、追加情報を他の海図表示装置との間で共有化することが可能になることにより、スマートフォン等の他の装置からでも追加情報を参照することが可能になる。
【００２９】
請求項１０に記載の発明によれば、管理装置は、送信された追加情報を時系列に紐付くデータベースに記憶するので、追加情報を表示させるときに、作成時期により表示させる追加情報を選択することが可能になる。
【００３０】
請求項１１に記載の発明によれば、複数の管理装置が互いに通信可能であり、追加情報が複数の管理装置の間で共有化されているので、追加情報をさらに広範囲にて共有することができる。
【図面の簡単な説明】
【００３１】
【図１】この発明の実施の形態１に係る海図表示システムの概略を示す機能ブロック図である。
【図２】図１の表示装置３を示す平面図である。
【図３】図２の表示装置３に手書き情報ＨＯが表示されている状態を示す平面図である。
【図４】図２の表示装置３に文字列ＣＨが表示されている状態を示す平面図である。
【図５】図４の海図及び手書き情報ＨＯが縮小されている状態を示す平面図である。
【図６】この発明の実施の形態２に係る切り替え手段３９Ａの例を示す平面図である。
【発明を実施するための形態】
【００３２】
以下、この発明を図示の実施の形態に基づいて説明する。
【００３３】
（実施の形態１）
この発明の実施の形態１に係る海図表示システム１は、海図情報を提供するためのシステムであり、例えば、船舶の航海時に使用される海図や、そのときに航海を行っている船舶の位置や進行方向等を表示する海図表示システムである。この海図表示システム１は、図１に示すように、主として情報管理装置（管理装置）２と、表示装置（海図表示装置）３とを備え、気象・航路提供システム１０にネットワークを介して接続されている。さらに、通信装置２０を介して陸上サーバ３０にネットワークを介して接続されている。なお、通信装置２０を介して外部システムであるＥＣＤＩＳ（Ｅｌｅｃｔｒｏｎｉｃ  Ｃｈａｒｔ  Ｄｉｓｐｌａｙ  ａｎｄ  Ｉｎｆｏｒｍａｔｉｏｎ  Ｓｙｓｔｅｍ：電子海図表示システム）との間で航路情報等を共有することが可能になるように構成されているが、図示を省略する。
【００３４】
情報管理装置２は、現在地を示す情報や他の船舶の状態を示す情報、海図情報や陸上の地形情報、気象・航路提供システム１０及び陸上サーバ３０から取得した情報を記憶し、表示装置３へ送信する装置であり、例えば、サーバコンピュータにより構成されている。この情報管理装置２は、図１に示すように、例えば、航海中の船舶に配設され、または地上の監視設備等に配設され、主として各種ＤＢ２１と、Ｃｈａｒｔ情報ＤＢ２２と、ＧＩＳ情報ＤＢ２３とを備えている。
【００３５】
各種ＤＢ２１は、例えば、船舶の識別情報であるＡＩＳ（Ａｕｔｏｍａｔｉｃ  Ｉｄｅｎｔｉｆｉｃａｔｉｏｎ  Ｓｙｓｔｅｍ：自動船舶識別装置）情報や、他の船舶が現在航海している位置情報や、船舶内に配置されているセンサ類から取得された当該船舶の位置や針路、速力等を示すコニング情報、航路情報、気象情報等を格納するとともに、後述する、表示装置３にて作成された文字列ＣＨ及び手書き情報ＨＯを格納するデータベースである。この各種ＤＢ２１では、表示装置３にて作成された文字列ＣＨ及び手書き情報ＨＯを格納するときに、作成された日時により時系列に紐付いて格納される。これは、例えば、文字列ＣＨ及び手書き情報ＨＯを表示装置３に表示させるときに、作成時期により表示させるものを選択することを可能にするためである。Ｃｈａｒｔ情報ＤＢ２２は、海の水深や灯台等の各種設備の情報である海図情報（地形情報）が格納されている。ＧＩＳ情報ＤＢ２３は、陸地の地形や道路等の情報である陸上地形情報（地形情報）が格納されている。これらの各種情報は、データＤ１として表示装置３との間で送受信される情報であり、適宜外部システムにアクセスして最新情報に更新されるようになっている。具体的には、例えば、気象・航路提供システム１０との間でデータＤ２として気象情報や航路情報を定期的に送受信して取得し、通信装置２０との間でデータＤ３として他の船舶の位置情報や、コニング情報、航路情報、気象情報等を定期的に送受信することにより陸上サーバ３０との間でデータＤ４として他の船舶の位置情報や、コニング情報、航路情報、気象情報等を定期的に送受信して更新している。
【００３６】
表示装置３は、情報管理装置２から地形情報や現在地情報等を取得し、表示画面に海図を表示する装置であり、図１に示すように、主として海図表示機能（初期表示機能、移動表示機能）３１、拡大縮小機能３２、ツール表示機能３３、手書き作成機能（追加情報作成機能）３４、手書き表示機能（追加情報表示機能）３５、手書き送信機能３６、及び認証機能３７の機能を備え、図２に示すように、表示画面３８を備え、切り替え手段３９が表示されている。
【００３７】
海図表示機能３１は、データＤ１から現在地情報及び地形情報を取得し、例えば現在地からあらかじめ定められた所定の表示範囲の海図を表示画面３８に表示する初期表示機能や、後述するように海図の表示位置が移動される操作が行われた場合、その移動された位置から所定の表示範囲の海図を表示画面３８に表示する移動表示機能である。なお、初期表示機能は、現在地から所定の表示範囲での表示に限られず、任意の所定の位置から所定の表示範囲で表示することが可能になっている。拡大縮小機能３２は、後述するように海図の表示範囲が拡大または縮小される操作が行われた場合、その海図の表示範囲を拡大または縮小して表示画面３８に表示する機能である。
【００３８】
ツール表示機能３３は、後述するように海図を操作する場合と、追加情報を入力する場合とを切り替える切り替え手段３９や、手書き情報を入力する場合と、文字列を入力する場合とを切り替えるツールバーを表示する機能である。
【００３９】
手書き作成機能３４は、後述するように表示画面３８上で指またはタッチペン等の棒状部材（接触物）を接触させて摺動させることで、海図とともに表示させる手書き情報を作成する機能や、表示画面３８上に表示されるキーボード（文字入力画面）を押下して、海図とともに表示させる文字列を作成する機能である。表示機能３５は、手書き情報や文字列を海図とともに表示画面３８に表示する機能である。手書き送信機能３６は、手書き情報や文字列を情報管理装置２へ送信する機能であり、これにより、後述する手書き情報ＨＯ及び文字列ＣＨを他の端末等と共有化することが可能になる。認証機能３７は、表示装置３を操作する権限を有している者のみアクセスを受け付ける機能である。
【００４０】
表示画面３８は、海図を表示し、指またはタッチペン等の棒状部材が接触されて摺動されると海図表示機能３１、拡大縮小機能３２、ツール表示機能３３、手書き作成機能３４、手書き表示機能３５の機能に基づいて表示内容を変更する画面であり、例えば、略長方形に形成されたタッチパネル等により構成されている。切り替え手段３９は、海図を操作する海図表示機能３１、拡大縮小機能３２、手書き表示機能３５と、追加情報を入力する手書き作成機能３４とを切り替えるアイコンであり、指またはタッチペン等の棒状部材で押下することで切り替え可能になっている。
【００４１】
気象・航路提供システム１０は、例えば、気象情報や航路情報を提供するシステムであり、データＤ２を定期的に送信するように設定されている。通信装置２０は、例えば、他の船舶の位置情報や、コニング情報、航路情報、気象情報等を集約及び提供するためのＢＯＸ型コンピュータであり、データＤ３を定期的に送信するように設定されている。陸上サーバ３０は、他の船舶の位置情報や、コニング情報、航路情報、気象情報等を複数の情報管理装置２の間で共有化するためのサービスであり、外部システム２０との間でデータＤ４の送受信を行っている。
【００４２】
次に、この表示装置３の操作方法及び海図表示システム１の作用等について説明する。
【００４３】
表示装置３において、海図表示機能３１の移動表示機能により海図の表示位置を移動する場合、以下のようにして行われる。まず、図２に示す表示画面３８に、操作者の指やタッチペン等の棒状部材を接触させる。そして、海図の表示位置を移動させたい方向に指やタッチペン等の棒状部材を摺動させると、その摺動に合わせて海図の表示位置が移動される。これにより、希望する方向へ海図の表示位置を移動することができる。
【００４４】
表示装置３において、拡大縮小機能３２により海図の表示範囲を拡大または縮小する場合、以下のようにして行われる。まず、表示画面３８に、操作者の指やタッチペン等の棒状部材を、２箇所接触させる。そして、２箇所の接触箇所を、表示画面３８の上で互いに近付ける方向に摺動させると、海図の表示範囲が拡大して表示される。２箇所の接触箇所を、表示画面３８の上で互いに遠ざける方向に摺動させると、海図の表示範囲が縮小して表示される。これにより、海図の表示範囲を希望するように拡大または移動することができる。
【００４５】
表示装置３において、手書き作成機能３４により海図とともに表示させる手書き情報を作成する場合、以下のようにして行われる。まず、表示画面３８に表示されている切り替え手段３９を、例えば操作者の指やタッチペン等の棒状部材で押下すると、図３に示すようなツールバー４０が表示される。ここで、上部に表示されている「描画」を選択すると、手書き情報が入力可能になるので、操作者の指やタッチペン等の棒状部材を表示画面３８に接触させて摺動させると、表示画面３８における摺動箇所が着色され、文字または図形を作成することが可能になる。所定の文字または図形を作成した状態で再度切り替え手段３９を押下すると、手書き情報（追加情報）ＨＯが作成されて記憶され、図３に示すように手書き情報ＨＯが表示される。また、この手書き情報ＨＯは、手書き送信機能３６により情報管理装置２へ送信され、Ｃｈａｒｔ情報やＧＩＳ情報とは別に各種ＤＢ２１に記憶され、他の端末等と共有化される。なお、この手書き情報ＨＯは、所定の操作（図示省略）により削除可能である。これにより、海図上に希望する手書き情報ＨＯを作成することができる。
【００４６】
表示装置３において、手書き作成機能３４により海図とともに表示させる文字列を作成する場合、以下のようにして行われる。まず、表示画面３８に表示されている切り替え手段３９を、例えば操作者の指やタッチペン等の棒状部材で押下すると、図３に示すようなツールバー４０が表示される。ここで、下部に表示されている「文字列」を選択すると、表示画面３８の下部にキーボード（図示省略）が表示されて文字列が入力可能になるので、操作者の指やタッチペン等の棒状部材を押下することで文字入力を行うと、表示画面３８に文字列を作成することが可能になる。所定の文字列を作成した状態で再度切り替え手段３９を押下すると、文字列（追加情報）ＣＨが作成されて記憶され、図４に示すように文字列ＣＨが表示される。また、この文字列ＣＨは、手書き送信機能３６により情報管理装置２へ送信され、Ｃｈａｒｔ情報やＧＩＳ情報とは別に各種ＤＢ２１に記憶される。なお、この文字列ＣＨは、色、太さ、または透過率を設定可能である。これにより、その位置により適切な色、太さ、または透過率に設定することで、海図が見えなくなることを防止できる。さらに、この文字列ＣＨは、所定の操作（図示省略）により削除可能である。これにより、海図上に希望する文字列ＣＨを作成することができる。
【００４７】
文字列ＣＨは、各種ＤＢ２１に記憶されるとき、表示画面３８に表示されている海図の緯度及び経度に紐づいて格納される。また、手書き情報ＨＯは、各種ＤＢ２１に記憶されるとき、手書き情報ＨＯの複数箇所の点、例えば、手書き情報ＨＯを複数の直線や曲線等のオブジェクトに分割し、そのオブジェクトの始点または終点が表示画面３８に表示されている海図の緯度及び経度に紐づいて格納される。そして、海図表示機能３１の初期表示機能による現在地の海図表示や、移動表示機能による移動された位置の海図表示のときに、表示機能３５により海図上に表示され、また、図５に示すように、拡大縮小機能３２により表示範囲が拡大または縮小された場合、手書き情報ＨＯ及び文字列ＣＨもあわせて拡大または縮小されて海図上に表示される。これにより、海図上に確実に手書き情報ＨＯ及び文字列ＣＨを残すことができる。
【００４８】
また、手書き情報ＨＯ及び文字列ＣＨは、拡大縮小機能３２により表示範囲が拡大または縮小された場合、所定の拡大率の場合のみ表示させるように設定することが可能になっている。さらに、表示されている拡大率に基づいて表示内容を変更するように設定することが可能になっている。これにより、手書き情報ＨＯ及び文字列ＣＨを見やすく表示し、手書き情報ＨＯ及び文字列ＣＨが重なり合って見づらくなることを防止することができる。
【００４９】
以上のように、この表示装置３及び海図表示システム１によれば、切り替え手段３９を備えたことにより、海図を操作する海図表示機能３１、拡大縮小機能３２、手書き表示機能３５と、手書き情報ＨＯ及び文字列ＣＨを入力する手書き作成機能３４とを簡便に切り替えることが可能になる。また、文字列ＣＨは、表示画面３８に表示されている海図の緯度及び経度に紐づいて各種ＤＢ２１に記憶され、手書き情報ＨＯは、各種ＤＢ２１に記憶されるとき、手書き情報ＨＯの複数箇所の点、例えば、手書き情報ＨＯを複数の直線や曲線等のオブジェクトに分割し、そのオブジェクトの始点または終点が表示画面３８に表示されている海図の緯度及び経度に紐づいて各種ＤＢ２１に記憶されるため、他の表示装置３との間で手書き情報ＨＯ及び文字列ＣＨを共有化することが可能になり、手書き情報ＨＯ及び文字列ＣＨを確実に海図情報に紐づけて管理することが可能になる。
【００５０】
また、手書き情報ＨＯ及び文字列ＣＨは、海図表示機能３１による現在地の海図表示や移動された位置の海図表示のときに、表示機能３５により海図上に表示され、拡大縮小機能３２により表示範囲が拡大または縮小されたときに、あわせて拡大または縮小されて海図上に表示されるので、海図上に確実に手書き情報ＨＯ及び文字列ＣＨを残すことが可能になる。
【００５１】
（実施の形態２）
この発明の実施の形態２に係る切り替え手段３９Ａは、実施の形態１と同様にツール表示機能３３により表示画面３８に表示されるものであり、実施の形態１に係る切り替え手段３９に替えて表示されるものである。図６に示すこの切り替え手段３９Ａは、指またはタッチペン等の棒状部材で表示画面３８に表示される各種操作用のアイコンを例として示したものであり、主として表示情報操作選択アイコン３９１ａ〜３９１ｏと、海図選択アイコン３９２とを有している。表示情報操作選択アイコン３９１ａ〜３９１ｏは、表示画面３８に表示させる情報、例えば、手書き情報ＨＯ及び文字列ＣＨ等の追加情報を選択するため、または画面の表示状態を変更操作するために指またはタッチペン等の棒状部材で押下するアイコンである。海図選択アイコン３９２は、初期状態の海図表示状態に戻る操作を行うために指またはタッチペン等の棒状部材で押下するアイコンである。なお、その他の表示装置３の構成は、実施の形態１と同様である。
【００５２】
また、この表示情報操作選択アイコン３９１ａ〜３９１ｏには、表示画面３８の表示方向を変更することが可能な表示情報操作選択アイコン３９１ｊ〜３９１ｍが設けられている。例えば、表示情報操作選択アイコン３９１ｌを押下すると、表示画面３８に表示されている海図や手書き情報ＨＯ及び文字列ＣＨ等の追加情報が、元の表示状態から９０°右に回転する。このとき、表示画面３８は略長方形に形成されているため、表示画面３８に表示されている海図等の縮尺が変化しないようにするため、表示画面３８への表示範囲は適宜調整される。表示情報操作選択アイコン３９１ｋを押下すると、表示画面３８に表示されている海図等が、元の表示状態から１８０°回転する。表示情報操作選択アイコン３９１ｊを押下すると、表示画面３８に表示されている海図等が、元の表示状態から２７０°右に（９０°左に）回転する。表示情報操作選択アイコン３９１ｍを押下すると、表示画面３８に表示されている海図等が、元の表示状態（０°）に戻る。これにより、操作者が操作している位置に応じて表示画面３８の表示方向を変更可能であるため、海図を見やすく表示することが可能になる。
【００５３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、追加情報として手書き情報ＨＯ及び文字列ＣＨを例に説明したが、海図上で作成した航路情報等であっても良い。また、これらの情報は、Ｃｈａｒｔ情報やＧＩＳ情報とは別に各種ＤＢ２１に、海図の緯度及び経度に紐づいて記憶する構成としたが、海図上に画像として保存するような構成にしても良い。
【００５４】
また、各種ＤＢ２１、Ｃｈａｒｔ情報ＤＢ２２、及びＧＩＳ情報ＤＢ２３を情報管理装置２に設ける構成としたが、表示装置３に同様のデータベースを設けて情報管理装置２との間で定期的に同期するように構成しても良い。さらに、外部システム１０，２０、及びクラウドサービス３０は、このような構成に限られず、他の外部システム等に接続されていても良い。
【符号の説明】
【００５５】
１                海図表示システム
２                情報管理装置（管理装置）
３                表示装置（海図表示装置）
１０              気象・航路提供システム
２０              通信装置
２１              各種ＤＢ
２２              Ｃｈａｒｔ情報ＤＢ
２３              ＧＩＳ情報ＤＢ
３０              陸上サーバ
３１              海図表示機能（初期表示機能、移動表示機能）
３２              拡大縮小機能
３３              ツール表示機能
３４              手書き作成機能（追加情報作成機能）
３５              手書き表示機能（追加情報表示機能）
３６              手書き送信機能
３７              認証機能
３８              表示画面
３９，３９Ａ      切り替え手段
４０              ツールバー
ＣＨ              文字列（追加情報）
ＨＯ              手書き情報（追加情報）
【図１】
2018072740.tif 000003
【図２】
2018072740.tif 000004
【図３】
2018072740.tif 000005
【図４】
2018072740.tif 000006
【図５】
2018072740.tif 000007
【図６】
2018072740.tif 000008